(57)【要約】【課題】吊り干乾燥させる際の作業性が良く、洗濯物を槽底に支えにくくすることで乾燥皺を抑え、吊り干乾燥の構造部分が汚れにくく邪魔にならない洗濯乾燥機を提供することである。【解決手段】洗濯乾燥機１は、上方に開口した開口部を有している外箱１０と、外箱１０の内側に設けられ、開口部を介して洗濯物が入れられる脱水槽３０と、開口部を開閉する蓋部１５と、脱水槽３０より上方で蓋部１５より下方の上面板１１に収納可能に設けられ、乾燥対象物を取り付けたハンガーが掛けられる吊り干具（洗剤投入ケース１８）と、を備え、脱水槽３０に入れられた洗濯物を洗濯する洗濯動作、および、吊り干具（洗剤投入ケース１８）から脱水槽３０内に向けて吊り下げられた乾燥対象物を乾燥させる吊り干乾燥動作を行う構成とする。【選択図】図３
2013027416.tif 000002
【特許請求の範囲】
【請求項１】
上方に開口した開口部を有している外筐部と、
前記外筐部の内側に設けられ、前記開口部を介して洗濯物が入れられる槽部と、
前記開口部を開閉する蓋部と、
前記槽部より上方で前記蓋部より下方の前記外筐部に収納可能に設けられ、乾燥対象物を取り付けたハンガーが掛けられる吊り干具と、を備え、
前記槽部に入れられた洗濯物を洗濯する洗濯動作、および、前記吊り干具から前記槽部内に向けて吊り下げられた乾燥対象物を乾燥させる吊り干乾燥動作を行うことを特徴とする洗濯乾燥機。
【請求項２】
前記吊り干具は、引き出し可能に収納されることを特徴とする請求項１記載の洗濯乾燥機。
【請求項３】
前記吊り干具は、ハンガーが掛けられる掛止部を有した洗剤投入ケースであることを特徴とする請求項２記載の洗濯乾燥機。
【請求項４】
前記吊り干具は、回転して収納されることを特徴とする請求項１記載の洗濯乾燥機。
【請求項５】
前記吊り干具は、ハンガーが掛けられるＤ字型の筒部を有することを特徴とする請求項４記載の洗濯乾燥機。
【請求項６】
前記吊り干具は、巻回して収納されるワイヤーを有することを特徴とする請求項１記載の洗濯乾燥機。
【発明の詳細な説明】
【技術分野】
【０００１】
本発明は、衣類などの洗濯や乾燥に用いられる洗濯乾燥機に関する。
【背景技術】
【０００２】
従来、衣類などの洗濯や乾燥に用いられる洗濯乾燥機が広く利用されている。多くの洗濯乾燥機は、上方に開口した開口部を有する外筐部と、外筐部の内側に設けられ、開口部を介して洗濯物が出し入れされる槽部（例えば脱水槽）と、外筐部にヒンジ機構によって上下に回動可能となるように取り付けられており、該回動によって開口部を開閉する蓋部と、を備えた構成となっている。
【０００３】
これにより洗濯乾燥機は、蓋部を開けて洗濯物の出し入れ等が可能であるとともに、蓋部を閉じて内部を閉空間とすることが可能である。また洗濯乾燥機は、槽部内に供給された水を攪拌翼（パルセータ）を用いて撹拌することによって洗濯動作を行い、槽部内に温風を供給することによって乾燥動作を行う。
【０００４】
また洗濯乾燥機としては、内部にハンガー等を用いて衣類を吊り下げておき、この衣類を乾燥させること（吊り干乾燥）が可能なものも提案されている。吊り干乾燥によれば、槽部の底に積まれている衣類を乾燥させるような場合に比べて、一般的に乾燥効率が良く、また、皺等が付き難いため、好ましい状態での仕上がりが期待される。
【０００５】
例えば特許文献１には、洗濯槽を備えその上方に開口部を有する洗濯機本体と、開口部を覆うように設けられ出し入れ口を有する蓋体と、洗濯槽内に熱風を供給する熱風供給装置と、蓋体の出し入れ口にこれを開閉すべく枢設された開閉蓋と、蓋体の下面部にその出し入れ口と対応するように設けられたハンガーとを具備した洗濯機が開示されている。
【０００６】
また特許文献２には、内槽の上面開口の内側周縁部に内方へ突出した弧状又は環状のフランジと、内槽の上面開口を直径方向に横切ってフランジの対向部に両端部が載置されるハンガーを備え、乾燥モードではオゾン発生装置にて生成したオゾンが空気循環用送風機の運転にて内槽内へ供給され、ハンガーに掛けた洗濯物の除菌・消臭を行う乾燥機能付き洗濯機が開示されている。
【０００７】
また特許文献３には、外槽と、外槽の内部に垂直軸回りの回転が可能に支持された内槽と、内槽の内部へ温風を吹き込むための温風機構とを備え、内槽の内部に、洗濯物を掛けるためのハンガーが昇降可能且つ内槽と一体回転可能に設置され、ハンガーの昇降による洗濯モードと、内槽及びハンガーの回転による脱水モードと、温風機構の動作による乾燥モードとが切り換え設定可能である洗濯機が開示されている。
【先行技術文献】
【特許文献】
【０００８】
【特許文献１】特開平１−２４９０９７号公報
【特許文献２】特開２０１１−２４９９０号公報
【特許文献３】特開平１０−１２７９７６号公報
【発明の概要】
【発明が解決しようとする課題】
【０００９】
しかしながら、特許文献１では蓋体に開閉蓋を設け、その出し入れ口からハンガーを出し入れする構成となっているので、出し入れ口は当然蓋体よりも小さく、蓋体の強度を確保しようとすると出し入れ口をさらに小さくしなければならない。したがって、ハンガーへ衣類を掛けづらいものとなる。また、特許文献２では内槽にハンガーを掛けているので空間が狭く、ワイシャツのような長い洗濯物を掛けると内槽の底に支えて皺になることがある。また、特許文献３ではハンガーに衣類を掛けた状態で洗濯するため、ハンガーを内蓋より下の内槽内に設けているので空間が狭く、ワイシャツのような長い洗濯物を掛けると内槽の底に支えて皺になることがある。
【００１０】
このように、吊り干乾燥できる従来の洗濯乾燥機では作業性が良くなかったり、乾燥の仕上がりが良くなかったりするという問題があった。
【００１１】
本発明は、吊り干乾燥させる際の作業性が良く、洗濯物を槽底に支えにくくすることで乾燥皺を抑え、吊り干乾燥の構造部分が汚れにくく邪魔にならない洗濯乾燥機を提供することを目的とする。
【課題を解決するための手段】
【００１２】
上記目的を達成するために本発明の洗濯乾燥機は、上方に開口した開口部を有している外筐部と、前記外筐部の内側に設けられ、前記開口部を介して洗濯物が入れられる槽部と、前記開口部を開閉する蓋部と、前記槽部より上方で前記蓋部より下方の前記外筐部に収納可能に設けられ、乾燥対象物を取り付けたハンガーが掛けられる吊り干具と、を備え、前記槽部に入れられた洗濯物を洗濯する洗濯動作、および、前記吊り干具から前記槽部内に向けて吊り下げられた乾燥対象物を乾燥させる吊り干乾燥動作を行う構成とする。
【００１３】
この構成によれば、槽部より上方で蓋部より下方に吊り干具を設けることで、機内の高い位置に簡単にハンガーを掛けることができるとともに、使用しない場合に収納することができる。
【００１４】
上記の洗濯乾燥機において、前記吊り干具は、例えば、引き出し可能に収納される。この場合、前記吊り干具としては、ハンガーが掛けられる掛止部を有した洗剤投入ケースを用いることができる。
【００１５】
また上記の洗濯乾燥機において、前記吊り干具は、例えば、回転して収納される。この場合、前記吊り干具は、ハンガーが掛けられるＤ字型の筒部を有する構成とすることができる。
【００１６】
また上記の洗濯乾燥機において、前記吊り干具は、例えば、巻回して収納されるワイヤーを有する構成とすることができる。
【発明の効果】
【００１７】
本発明によると、槽部より上方で蓋部より下方の外筐部に吊り干具を設けることで、蓋部を開けた状態でハンガーを吊り干具に掛けやすく、すなわち、吊り干乾燥させる際の作業性が良い。さらに、吊り干乾燥時の吊り干具の位置が高くなり、長い洗濯物でも槽底に支えにくくなる。その結果、乾燥皺を抑えることができる。
【００１８】
また本発明によると、吊り干具を収納可能とすることで、吊り干乾燥の構造部分である吊り干具が汚れにくく邪魔にならない。
【図面の簡単な説明】
【００１９】
【図１】本発明の一実施形態の洗濯乾燥機を示す斜視図である。
【図２】本発明の一実施形態の洗濯乾燥機の概略構造を示す側面断面図である。
【図３】本発明の一実施形態の洗濯乾燥機の蓋部を開いた状態を示す斜視図である。
【図４】本発明の一実施形態の洗濯乾燥機の要部平面図である。
【図５】本発明の一実施形態の吊り干具の平面図である。
【図６】本発明の一実施形態の吊り干具の右側面図である。
【図７】本発明の他の一実施形態の洗濯乾燥機の要部平面図である。
【図８】本発明の他の一実施形態の吊り干具の斜視図である。
【図９】本発明の他の一実施形態の吊り干具の斜視図である。
【図１０】本発明のさらに他の一実施形態の洗濯乾燥機の要部平面図である。
【図１１】本発明のさらに他の一実施形態の洗濯乾燥機内部の吊り干具周辺の正面図である。
【発明を実施するための形態】
【００２０】
以下、本発明の実施形態について、図面を参照しながら詳述する。図１は、本発明の一実施形態の洗濯乾燥機を前方斜め上視点で示す斜視図であり、図２は、図１の洗濯乾燥機を側方視点で示す概略側面断面図である。なお、図２に示した洗濯乾燥機は、左側が前面、右側が背面である。
【００２１】
［洗濯乾燥機の全体的な構成等について］
洗濯乾燥機１は全自動型であり、直方体形状の外箱１０を備えている。外箱１０は、略直方体に成形され、その上下は開放されている。外箱１０の上側開放部は上面板１１で覆われている。上面板１１の前部には、洗濯乾燥機の操作を受付ける操作部（操作ボタン等）や、洗濯乾燥機１の操作画面や動作状態を表示する表示部（液晶を用いた表示装置等）が設けられる。上面板１１の背面側にはバックパネル１４が装着される。
【００２２】
上面板１１の中央部には、洗濯乾燥機１内に洗濯物を投入するための出入口（開口部）１１ａが開設されている。出入口１１ａは、バックパネル１４の前端部に設けたヒンジ部１５ａで枢支される蓋部１５によって開閉される。ヒンジ部１５ａは、洗濯乾燥機１の前後方向の中心より後側の位置に設けられている。
【００２３】
蓋部１５の周縁にはパッキン（不図示）が設けられ、蓋部１５の全閉状態では、出入口１１ａと蓋部１５との間が密封されている。蓋部１５を上下に回動させて出入口１１ａを開閉することにより、後述する脱水槽３０に洗濯物を投入したり、脱水槽３０から洗濯物を取り出したりすることができる。
【００２４】
図３は蓋部１５を開いた状態を示す斜視図である。図１〜図３において、外箱１０の内部には、洗濯槽を兼ねる脱水槽３０と、脱水槽３０を収容する水槽２０が収容される。脱水槽３０は、洗剤を溶かした水またはすすぎ用の水（以下これらを総称して「洗濯水」という）を溜める。水槽２０及び脱水槽３０は、ともに上方に向けて開口した（開口面を有する）有底筒状のカップの形状を呈しており、各々軸線を垂直にして水槽２０を外側、脱水槽３０を内側とする形で同心的に配置される。
【００２５】
水槽２０は、サスペンション部材２１によって吊り下げられる。サスペンション部材２１は、水槽２０の外面下部と外箱１０の内面コーナー部とを連結する形で計４箇所に配備され、水槽２０を水平面内で揺動できるように支持している。
【００２６】
脱水槽３０は上方にテーパ状に広がる周壁を有し、この周壁にはその最上部に環状に配置した複数個の脱水孔３１を除いて、液体を通すための開口部はない。即ち、脱水槽３０はいわゆる「孔なし」タイプに形成される。脱水槽３０の上部開口部の縁には、洗濯物の脱水のため脱水槽３０を高速回転させたときに振動を抑制する働きをする、環状のバランサ３２が装着される。脱水槽３０の内部底面には、槽内で洗濯水の流動を生じさせるためのパルセータ３３が配置される。
【００２７】
水槽２０の下面には、駆動ユニット４０が取り付けられる。駆動ユニット４０はモータ４１及びクラッチ・ブレーキ機構４３を有している。クラッチ・ブレーキ機構４３は、モータ４１にベルト４２で連結され、脱水軸４４及びパルセータ軸４５が上方に突出する。クラッチ・ブレーキ機構４３は電磁力で動作し、脱水軸４４及びパルセータ軸４５の一方を、択一的にモータ４１に連結する。また、クラッチ・ブレーキ機構４３は電磁力によって脱水軸４４の回転にブレーキを掛けるとともに、ブレーキを解除する。
【００２８】
脱水軸４４とパルセータ軸４５は二重軸構造となっており、脱水軸４４が外側に配されてパルセータ軸４５が内側に配される。脱水軸４４は、水槽２０を貫通して脱水槽３０に連結され、脱水槽３０を軸支する。パルセータ軸４５は、水槽２０及び脱水槽３０を貫通してパルセータ３３に連結され、パルセータ３３を軸支する。脱水軸４４と水槽２０との間、及び脱水軸４４とパルセータ軸４５との間には、各々水もれを防ぐためのシール部材が配置される。
【００２９】
外箱１０には、出入口１１ａの周囲から下方に延びる延設部１６が設けられる。延設部１６は、環状に形成される略鉛直の鉛直部１６ａと、鉛直部１６ａの下端から略水平に延びる水平部１６ｂとを有している。水平部１６ｂの下面には、環状の蛇腹状の弾性体１７が取り付けられる。弾性体１７によって延設部１６と水槽２０の上面とが連結され、脱水槽３０の回転等による水槽２０の振動が吸収される。
【００３０】
また、延設部１６及び弾性体１７により、出入口１１ａの周囲と水槽２０の上面との間を遮蔽する遮蔽部が構成される。遮蔽部によって水槽２０と出入口１１ａとの間に密閉空間が形成される。これにより、水槽２０の上面を開閉する内蓋を必要とせず、蓋部１５を閉じて洗濯及び乾燥を行うことができる。
【００３１】
外箱１０の後部の延設部１６上には、乾燥ユニットが設置されている。乾燥ユニットは、送風機やヒータなどを備えており、乾燥工程の実行時に、脱水槽３０の内周壁に沿って温風を吹き出す（脱水槽３０内に温風を供給する）機能を有している。
【００３２】
また、延設部１６の水平面１６ｂには、給水口が設けられている。給水口は給水弁を介して市水に接続される。このように給水口及び給水弁は、脱水槽３０に給水する給水部を構成する。なお、給水口は埃などの異物が内部に入らないように配慮されている。
【００３３】
また、延設部１６の鉛直部１６ａには、洗剤投入ケース１８が引き出し可能に収納されている。洗剤投入ケース１８は、予め洗剤を投入しておくケースであるとともに、吊り干乾燥の際にハンガーが掛けられる吊り干具を兼ねている。吊り干具の詳細については後述する。これによりユーザは、蓋部１５を開けた状態で、衣類（乾燥対象物）を取り付けたハンガーを引き出した吊り干具（洗剤投入ケース１８）に掛けることが可能である。したがって、吊り干乾燥させる際の作業性が良い。
【００３４】
この状態から、ユーザによって蓋部１５が閉じられる（換言すれば、出入口１１ａが閉じられる）ことにより、脱水槽３０内において衣類を吊り下げた状態とすることが可能である。後述する通り洗濯乾燥機１は、ハンガーを用いて吊り下げられた衣類に対し、吊り干乾燥を行うことが可能となっている。
【００３５】
水槽２０の底部には、水槽２０及び脱水槽３０内の水を外箱１０の外部に排水する、排水ホース６０が取付けられている。脱水槽３０には、排水孔６２が同一円周上に４箇所設けられ、各排水孔６２と排水ホース６０との間は、排水ダクト６１により連結される。排水ダクト６１内には、排水弁６３が設けられる。排水弁６３を開くと、排水ダクト６１及び排水ホース６０を介して、脱水槽３０内の水が排水される。また、脱水時に脱水槽３０の上部から流出した水は、水槽２０の周壁と脱水槽３０の周壁との間を通って、排水ホース６０から排水される。
【００３６】
また、洗濯乾燥機１には、蓋部１５の開閉状態を検知する蓋開閉センサ、脱水槽３０の水位を検知する水位センサ、脱水槽３０の内部の温度を検知する温度センサ、および脱水槽３０の内部の湿度を検知する湿度センサといった、各種のセンサが備えられている。
【００３７】
また、洗濯乾燥機１には、ユーザの操作や各種センサの検知情報などに応じ、洗濯乾燥機１が適切に動作するように各部を制御する、制御装置が備えられている。この制御装置は、例えば外箱１０の背面上部に配されており、モータ４１や乾燥ユニットなどを制御するようになっている。
【００３８】
上記構成の洗濯乾燥機１においては、出入口１１ａから脱水槽３０に洗濯物が入れられ、蓋部１５が閉じられる。ユーザによって洗濯条件が選択され、洗濯の開始が指示されると、蓋開閉センサにより蓋部１５が閉じたことを検知して、洗濯工程の動作が実行される。
【００３９】
洗濯工程では、排水弁６３を閉じて給水弁が開かれ、給水口から脱水槽３０に給水する。脱水槽３０に所定量の水が溜まると、水位センサの検知によって給水弁が閉じられる。次に、クラッチ・ブレーキ機構４３により、パルセータ軸４５をモータ４１に連結してモータ４１を駆動する。これにより、パルセータ３３が回転し、脱水槽３０の中の水を攪拌して洗濯動作が行われる。
【００４０】
洗濯動作を開始して所定時間が経過すると、排水弁６３を開いて脱水槽３０内の水が排水され、クラッチ・ブレーキ機構４３により、脱水軸４４がモータ４１に連結される。これにより、モータ４１の駆動によって脱水槽３０が高速回転して脱水動作が行われる。脱水槽３０の高速回転によって洗濯物から飛散した水は、排水ダクト６１及び脱水孔３１から流出する。
【００４１】
脱水動作を開始して所定時間が経過すると、モータ４１が停止され、排水弁６３を閉じて給水弁が開かれる。脱水槽３０に所定量の水が溜まると、水位センサの検知によって給水弁が閉じられる。次に、クラッチ・ブレーキ機構４３により、パルセータ軸４５をモータ４１に連結してモータ４１を駆動する。これにより、パルセータ３３が回転し、脱水槽３０の中の水を攪拌してすすぎ動作が行われる。
【００４２】
すすぎ動作を開始して所定時間が経過すると、上記の脱水動作が再度行われる。そして、脱水動作が所定時間行われると、洗濯工程が終了する。また洗濯乾燥機１は、ユーザによる吊り干乾燥動作の実行指示がなされたときには、吊り干乾燥動作を開始する。
【００４３】
吊り干乾燥動作は、温風を脱水槽３０内に供給して循環させることにより、吊り下げられた衣類の乾燥（吊り干乾燥）を行う動作である。すなわち洗濯乾燥機１は、予め衣類が吊り下げられた状態にて吊り干乾燥動作を行うことにより、当該衣類の吊り干乾燥を実現させる。
【００４４】
［吊り干具の構成等について］
図４〜図６は、本発明の一実施形態の洗濯乾燥機の吊り干具を説明する図である。図４は、洗濯乾燥機の要部平面図であり、図５は、吊り干具の平面図であり、図６は、吊り干具の右側面図である。上述したように、本実施形態においては洗剤投入ケース１８が吊り干具を兼ねている。
【００４５】
洗剤投入ケース１８は、前面に位置する取手部１８ａと、取手部１８ａの背面に位置する第１ケース１８ｂと、第１ケース１８ｂの背面に位置する第２ケース１８ｃとを備えている。また、第１ケース１８ｂと第２ケース１８ｃとは２本の結合部１８ｄで繋がれており、第２ケース１８ｃの外底面の後端付近に突起物であるストッパー１８ｅが形成されている。洗剤投入ケース１８の引き出し動作時にはストッパー１８ｅが鉛直部１６ａの内壁に衝止されることで、洗剤投入ケース１８が脱落することを防いでいる。
【００４６】
結合部１８ｄは、第１ケース１８ｂと第２ケース１８ｃの右側面同士又は左側面同士を延設した板状の部分である。また結合部１８ｄの上端は第１ケース１８ｂの上端及び第２ケース１８ｃの上端よりも下に位置しており、これによって、第１ケース１８ｂと第２ケース１８ｃの間には切り欠き１８ｆが形成される。この切り欠き１８ｆはハンガー２が掛けられる掛止部となり、２箇所の切り欠き（掛止部）１８ｆにそれぞれハンガー２を掛けることができる。
【００４７】
このように、ハンガー２が切り欠き１８ｆに着脱可能となっているので、先にハンガーへ衣類を掛けてから切り欠き１８ｆに吊り下げることができ、利便性が高い。
【００４８】
また、洗剤投入ケース１８が上面板１１に収納可能となっているので、洗剤投入ケース１８を収納しておけば、洗濯物の出し入れの邪魔になることがなく、作業しやすい。さらに、洗剤投入ケース１８を収納しておくことで、洗濯動作中に跳ね上がった洗濯水が洗剤投入ケース１８に付着して汚れることがなく、また、ハンガー２を使用しない乾燥動作中に埃が洗剤投入ケース１８に付着して汚れることがない。このように、洗剤投入ケース１８を収納しておくことにより、吊り干乾燥の構造部分（洗剤投入ケース１８）が汚れにくく邪魔にならない。
【００４９】
また、洗剤ケース１８を引き出した状態で切り欠き１８ｆの位置が水槽２０の中心付近にあることが望ましい。ハンガー２を水槽２０内の中央付近に掛けることができ、水槽２０内の空間を広く使えて有効である。
【００５０】
なお、掛止部の形状に限定はなく、例えば、孔や溝であってもよい。ハンガーも掛止部の形状に合わせて市販のハンガーなど様々な形状のハンガーを用いることができる。
【００５１】
なお、吊り干具（洗剤ケース１８）は、水槽２０より上方で蓋部１５より下方であればどこに設けてもよい。この場合、吊り干乾燥時の吊り干具の位置が高く、長い洗濯物でも槽底に支えにくくなるといえる。したがって、本実施形態のように延設部１６の鉛直部１６ａに洗剤ケース１８を設ければ、十分に高い位置に設けられているといえる。
【００５２】
なお、掛止部の個数に限定はなく、少なくとも１つ以上であればよいが、本実施形態のように２つであれば、衣類が槽内に触れにくく、且つ十分な乾燥スペースを確保することができる。また、掛止部の位置に限定はなく、吊り干具に形成されていればよいが、吊り干具の上部に形成することで少しでもハンガーを高い位置に掛けることができる。
【００５３】
なお、吊り干具は洗剤投入ケース１８とは別に設けてもよい。例えば、延設部１６の鉛直部１６ａに引き出し可能に収納される、上部に切り欠き状の掛止部を有する棒状部材であってもよい。
【００５４】
次に、吊り干具の他の形態を以下に示す。吊り干具を設ける場所は上記の実施形態と同様である。
【００５５】
図７〜図９は、本発明の他の一実施形態の洗濯乾燥機の吊り干具を説明する図である。図７は、洗濯乾燥機の要部平面図であり、図８は、吊り干具を前方斜め上視点で示す斜視図であり、図９は、吊り干具を側方斜め上視点で示す斜視図である。
【００５６】
吊り干具７０は例えば鉛直部１６ａに設けられ、回転して鉛直部１６ａ内に収納される。吊り干具７０は、ハンガー２が掛けられる平面視Ｄ字型の筒部７０ａと、筒部７０ａの直線部分の中点を通って上下に延出する軸部７０ｂとを備えている。
【００５７】
そして、軸部７０ｂが鉛直部１６ａ内に設けられた凹部に軸支されることで、１８０°回転させる毎に、筒部７０ａの平面部分が槽内に露出した収納状態と、筒部７０ａの曲面部分が槽内に露出した使用状態とになる。
【００５８】
このように、回転収納式の吊り干具７０を用いても、上述した洗剤ケース１８を吊り干具とした場合と同様の効果を得ることができる。
【００５９】
なお、筒部７０ａの形状に限定はなく、例えば、Ｄ字型に代えて三角型、台形型等としてもよい。また、筒部７０ａにはハンガーを掛けるための切り欠き、溝、孔等の掛止部を形成してもよい。また、筒部７０ａの使用状態でハンガーを掛ける部分の位置が水槽２０の中心付近にあることが望ましい。ハンガー２を水槽２０内の中央付近に掛けることができ、水槽２０内の空間を広く使えて有効である。また、吊り干具７０の個数に限定はなく、少なくとも１つあればよいが、吊り干具７０が小さく１つのハンガーしか掛けられない場合、２つ以上設けることで複数のハンガーを掛けることができる。
【００６０】
図１０及び図１１は、本発明のさらに他の一実施形態の洗濯乾燥機の吊り干具を説明する図である。図１０は、洗濯乾燥機の要部平面図であり、図１１は、洗濯乾燥機内部の吊り干具周辺の正面図である。
【００６１】
吊り干具８０は例えば鉛直部１６ａの左中央付近に設けられ、鉛直部１６ａ内に収納される。吊り干具８０は、ハンガー２が掛けられる金属製や樹脂製等のワイヤー８０ａと、ワイヤー８０ａの先端に設けられた鉤型のフック８０ｂと、ワイヤー８０ａを巻き取る方向に付勢し、ワイヤー８０ａを巻回して収納する巻取部８０ｃとを備えている。また、巻取部８０ｃに対向して鉛直部１６ａの右中央付近に、フック８０ｂを引っ掛けるコ字型の引掛部８１が設けられている。
【００６２】
そして、巻取部８０ｃからワイヤー８０ａを引き出し、フック８０ｂを引掛部８１に引っ掛けて固定することで、ワイヤー８０ａが出入口１１ａの左右に渡って張られた状態となる。この状態でワイヤー８０ａに所望数のハンガー２を掛けて吊り干し乾燥する。一方、フック８０ｂを引掛部８１から取ると自動でワイヤー８０ａが巻取部８０ｃに巻回される。
【００６３】
このように、巻回収納式の吊り干具８０を用いても、上述した洗剤ケース１８を吊り干具とした場合と同様の効果を得ることができる。
【００６４】
なお、ワイヤー８０ａを張る方向に限定はなく、つまり上記のような出入口１１ａの左右方向に限らず、水平であれば出入口１１ａの前後方向などであってもよい。また、吊り干具８０の個数に限定はなく、少なくとも１つあればよいが、２つ以上設けることでより多くのハンガーを所望の場所に掛けることができる。
【００６５】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００６６】
本発明は、上方に開口した開口部を開閉する蓋部を有する洗濯乾燥機に利用することができる。
【符号の説明】
【００６７】
１    洗濯乾燥機
２    ハンガー（吊り具）
１０    外箱（外筐部の一部）
１１    上面板（外筐部の一部）
１１ａ  出入口（開口部）
１４    バックパネル
１５    蓋部
１５ａ  ヒンジ部
１６    延設部
１６ａ  鉛直部
１６ｂ  水平部
１７    弾性体
１８    洗剤投入ケース（吊り干具）
１８ａ  取手部
１８ｂ  第１ケース
１８ｃ  第２ケース
１８ｄ  結合部
１８ｅ  ストッパー
１８ｆ  切り欠き
２０    水槽
３０    脱水槽
３１    脱水孔
３２    バランサ
３３    パルセータ
４０    駆動ユニット
４１    モータ
４２    ベルト
４３    クラッチ・ブレーキ機構
４４    脱水軸
４５    パルセータ軸
６０    排水ホース
６１    排水ダクト
６２    排水孔
６３    排水弁
７０    吊り干具
７０ａ  筒部
７０ｂ  軸部
８０    吊り干具
８０ａ  ワイヤー
８０ｂ  フック
８０ｃ  巻取部
８１    引掛部
【図１】
2013027416.tif 000003
【図２】
2013027416.tif 000004
【図３】
2013027416.tif 000005
【図４】
2013027416.tif 000006
【図７】
2013027416.tif 000007
【図１０】
2013027416.tif 000008
【図５】
2013027416.tif 000009
【図６】
2013027416.tif 000010
【図８】
2013027416.tif 000011
【図９】
2013027416.tif 000012
【図１１】
2013027416.tif 000013